(57)【要約】【課題】従来のいびき防止具は、下顎の固定によりいびき防止を目的としているため、ダイエット効果を得ることができない。また、従来の下顎をベルトで押さえる方式は、外れやすかったり、違和感があるなどの問題点が多い。【解決手段】前頭部にネットを使用し、後頭部、顔面、両耳を露出させた状態で頭頂部から下顎までを覆うように作成された筋力補強バンドであり、頭から被り、首の後部で合わせて、首の横でサイズ調整しながら下顎を固定するようになっている。【選択図】　　図１
2004089662.tif 000002
【特許請求の範囲】
【請求項１】
後頭部、顔面、両耳を露出させて首より上部を覆うため、前頭部に網状部材を使用して後方へ折り返し可能とし、頭部から顎にかけて布地で覆い、頭頂部から下顎にかけて袋状に形成した布の中に平ゴムを通して押さえ、首後部から片側の顎にかけて調節可能な固定部分を設けることにより、口、首周りの筋力を補強することを特徴とする口、首周りの筋力補強バンド。
【請求項２】
下顎、舌骨固定部分を立体二重構造にして平ゴムのずれを生じにくくしたことを特徴とする請求項１に記載の口、首周りの筋力補強バンド。
【発明の詳細な説明】
【０００１】
【発明の属する技術分野】
本発明は、睡眠中のいびきを防止すると共に、口、首周りの筋力補強をすることにより成長ホルモンの分泌促進によりダイエット効果を得る筋力補強バンドに関している。
【０００２】
【従来の技術】
いびきや無呼吸症候群の症状を有する人は、日常生活に他人に迷惑をかけたり、自分の生命の危険を伴ったりしているが、手術や投薬でも防止できない場合もある。そこで、睡眠中のいびきは鼻と口からの呼吸により発生していることに注目し、口を閉じて睡眠するように従来のいびき防止具としては、顎を押さえる方法を主としている。例えば、頭に固定する頭部バンドに下顎吊りベルトを取り付けて口の開きを防止する方法、下顎の　下がりを抑止する首輪式ベルトの方法、頭上の固定部にベルトを装着して下顎をベルトで抑止する方法等が提案されている。
【０００３】
【発明の解決しようとする課題】
食事の際に良く噛むことは下顎を動かし、口、首周りの筋力を鍛えることになる。この筋力増強は、成長ホルモンの分泌促進ニなり、脂肪細胞の分解、骨格の形成、筋肉の修復機能の促進に役立ち、ダイエット効果を得ることができる。筋肉を鍛えるには、動かす筋肉に抵抗を与えることにより一層の効果が上がる。従来のいびき防止具は、下顎の固定によりいびき防止を目的としているため、ダイエット効果を得ることができない。
【０００４】
いびきや無呼吸症候群は、睡眠中の意識のコントロールが効かない身体状態において、口噛部器官の筋力が緩み等に起因する症状で、口を開けて呼吸をすることが大きな要因とされている。また、アレルギー症状を持つ人も口呼吸をしている。このような症状に起因するいびきを防止するため、下顎を固定して口呼吸を阻止することは効果的である。従来の下顎をベルトで押さえる方式は、外れやすかったり、違和感があるなどの問題点が多い。
【０００５】
【課題を解決するための手段】
このような課題を解決するために、本発明においては、前頭部にネットを使用し、後頭部、顔面、両耳を露出させた状態で頭頂部から下顎までを覆うように作成された筋力補強バンドであり、頭から被り、首の後部で合わせて、首の横でサイズ調整しながら下顎を固定するようになっている。伸縮性を持たせながら下顎を固定するため、頭頂部から下顎まで一周するように袋状に形成した布の内側に平ゴムを通すことにより、袋状に形成した布と下顎の当て布を一体化して二重構造にすることで、下顎を包み込んだ際に平ゴムがずれないようにしている。
【０００６】
このように本発明の筋力補強バンドは、開口部分が多くあり通気性に富んだ構造となっている。前頭部にネットを使用して通気性と安定性を持たせている。前頭部のネットを後頭部の方に折り返すと、折り返したネットが平ゴムを引き上げ、下顎を上方に引き上げる力を大きくすると共に、平ゴムのずれの防止にも効果がある。このように、下顎を上方に引き上げる強さを、ネットの折り返しで強弱の加減をすることができる。
【０００７】
首後部から顎にかけて調節可能に固定するため、首側部の固定位置に装着するホックの数を増やしたり、面ファスナーを長くしたりしている。調節部分で加減することにより下顎が適度に動くようにすることができる。
【０００８】
【発明の実施の形態】
本発明の実施の形態につき、実施例に基づいて図面を参照して説明する。
【０００９】
図１は本発明の筋力補強バンドの正面図である。右耳１３、左耳１４、後頭部１５、顔１６を露出するように形成した筋力補強バンド１を装着した状態を示している。頭頂部１１から下顎１２まで一周するように袋状に形成した布２の内側に平ゴム３を通して下顎１２を押さえている。前頭部１０をネット６で覆い、通気性を確保すると共に頭への圧迫感を減らしている。前頭部１０のネット６を後頭部１５の方へ折り返すこともでき、ネット６を折り返すと、平ゴム３を上方へ引き上げる力が働き、下顎１２を強く締め付けることができる。
【００１０】
図２は本発明の口、首周りの筋力補強バンドの背面図である。平ゴム３を包んだ袋状に形成した布２で頭頂部１１から下顎１２にかけて押さえている。後頭部１５は露出し、右耳１３を露出させるように形成した右側の布４に左耳１４を露出させるように形成した左側の布５を頭の後部で重ねて下顎１２を包むように前方から左の顎に回して、固定している。
【００１１】
図３は本発明の口、首周りの筋力補強バンドの左斜視図である。平ゴム３を包んだ袋状に形成した布２で頭頂部１１から下顎１２にかけて押さえ、左耳１４と後頭部１５を露出させた左側の布５の先端を右側の顎から下顎１２を包んで左側の顎の位置で固定している。固定方法としては、ホック、面ファスナー、ボタン等各種の固定部材７が利用できる。
【００１２】
図４は本発明の口、首周りの筋力補強バンドの右斜視図である。平ゴム３をつつみ袋状に形成した布２で頭頂部１１から下顎１２にかけて押さえ、右耳１３と後頭部１５を露出させた右側の布４で右側頭部を覆っている状態を示している。
【００１３】
【発明の効果】
口、首周りの筋力の低下の補助をするので、成長ホルモンの分泌の促進になり、ダイエット効果を生ずる。
【００１４】
骨格を形成し、骨粗鬆症の改善になる。
【００１５】
筋肉の修復機能を向上させ、より多くの脂肪の分解が見込まれる。
【００１６】
いびきの抑制効果がある。
【００１７】
睡眠時無呼吸症候群を防止する。
【００１８】
高血圧の予防が見込まれる。
【００１９】
狭心症の予防が見込まれる。
【図面の簡単な説明】
【図１】本発明の口、首周りの筋力補強バンドの正面図である。
【図２】本発明の口、首周りの筋力補強バンドの背面図である。
【図３】本発明の口、首周りの筋力補強バンドの筋力補強バンドの左斜視図である。
【図４】本発明の口、首周りの筋力補強バンドの右斜視図である。
【符号の説明】
１　筋力補強バンド
２　袋状に形成した布
３　平ゴム
４　右側の布
５　左側の布
６　ネット
７　固定部材
１０　前頭部
１１　頭頂部
１２　下顎
１３　右耳
１４　左耳
１５　後頭部
１６　顔
【図１】
2004089662.tif 000003
【図２】
2004089662.tif 000004
【図３】
2004089662.tif 000005
【図４】
2004089662.tif 000006